(57)【要約】【課題】  送信してＰＣのディスプレイに表示させることを前提にした読み込み時のガンマと、紙に印刷したときに最適なガンマが異なる。このため、送信元の原稿と、受信して印刷されたものと色味が異なって見えることがある。【解決手段】  読み取り時のガンマ設定と逆の設定に従い印刷する手段と、受信した文書が自機と同種の機器からされたものか判定する手段とを備え、受信した文書が、自機と同種の機種から送信されたものであると判定した場合、読み取り時のガンマ設定とは逆のガンマ設定に従い、受信文書を印刷する。【選択図】  図１
2009303152.tif 000002
【特許請求の範囲】
【請求項１】
通信ネットワークに接続され、送信宛先、送信設定、ユーザからの指示を受け付ける操作パネルを備え、機器が備える原稿読み取り手段もしくは、データ受信手段を介して得られた電子化された文書を、指定された宛先に送信し、データ受信手段を介して受信した文書を印刷するデータ通信システムにおいて、
機器に設定された読み取り時ガンマ設定に従い、原稿を読み取る手段と、
電子化された文書を、インターネットFax形式文書に変換する手段と、
送信時に自機の機種情報を通知する手段と、
読み取り時のガンマ設定と逆の設定に従い印刷する手段と、
受信した文書が自機と同種の機器からされたものか判定する手段とを備え、
受信した文書が、自機と同種の機種から送信されたものであると判定した場合、読み取り時のガンマ設定とは逆のガンマ設定に従い、受信文書を印刷することを特徴とするデータ通信システム。
【請求項２】
受信文書を印刷する際に、読み取り時とは逆のガンマ設定に従い印刷させるかどうか選択する手段を更に備え、
受信した文書が、自機と同種の機種から送信されたものであると判定した場合、上記選択手段に従い、読み取り時のガンマ設定とは逆のガンマ設定、または、機器にあらかじめ設定された通常のガンマ設定で受信文書を印刷することを特徴とする請求項１に記載のデータ通信システム。
【請求項３】
受信文書を印刷する際に反映されるガンマカーブを、ユーザに設定可能にする手段と、
受信文書を印刷する際に、上記設定されたガンマ設定か、機器にあらかじめ設定された通常のガンマ設定か、読み取り時とは逆のガンマ設定のいずれを反映させるか設定する手段とを更に備え、受信した文書が、自機と同種の機種から送信されたものであると判定した場合、上記選択手段に従い、ユーザが設定した受信時に反映されるガンマ設定、機器にあらかじめ設定された通常のガンマ設定、読み取り時のガンマ設定とは逆のガンマ設定、のいずれかを反映し、受信文書を印刷することを特徴とする請求項１に記載のデータ通信システム。
【発明の詳細な説明】
【技術分野】
【０００１】
この発明は、原稿読み取り装置で読み取られ電子化された文書、もしくは、システムの受信手段によって取り込まれ電子化された文書を、Fax形式文書に変換し、ネットワーク経由で指定された宛先へ送信するシステムに関する。
【背景技術】
【０００２】
このようなシステムの例として、RFC2305,2532で規格化されたインターネットFaxが挙げられる。この規格では、相互運用のため、通信手順や、送信される文書のサイズ、解像度、圧縮形式、色空間等が定められている。
【０００３】
また、インターネットFax機能のみならず、E-mailや、Fileサーバへの送信など、複数の送信手段を備える複合機も一般的になってきている。このような複合機では、一度の送信指示で、同一文書を複数の送信手段にまたがった複数の宛先に送信することが出来るものもある。
【０００４】
このような場合、インターネットFax以外は、文書はPCに送信されるため、読み込み時には、その画像をディスプレイで見た時に適切となるような読み込みガンマ設定がなされる。
【０００５】
上記の例として、下記特許文献１をあげることが出来る。
【特許文献１】特開2002-112050号公報
【特許文献２】特開2005-101936号公報
【発明の開示】
【発明が解決しようとする課題】
【０００６】
インターネットFaxでは、受信画像は紙に印刷して出力する。このとき、読み込み時に設定されたガンマが、ディスプレイで見た時に最適になっている設定であると、出力結果を読み込んだ元の原稿と比較すると、色味が異なって見えることがある。
【課題を解決するための手段】
【０００７】
このような問題を解決するため、本発明のデータ通信システムは、通信ネットワークに接続され、送信宛先、送信設定等、ユーザからの指示を受け付ける操作パネルを備え、機器が備える原稿読み取り手段もしくは、データ受信手段を介して得られた電子化された文書を、指定された宛先に送信し、データ受信手段を介して受信した文書を印刷するシステムにおいて、
機器に設定された読み取り時ガンマ設定に従い、原稿を読み取る手段と、
電子化された文書を、インターネットFax形式文書に変換する手段と、
送信時に自機の機種情報を通知する手段と、
読み取り時のガンマ設定と逆の設定に従い印刷する手段と、
受信した文書が自機と同種の機器からされたものか判定する手段と
を設け、
受信した文書が、自機と同種の機種から送信されたものであると判定した場合、読み取り時のガンマ設定とは逆のガンマ設定に従い、受信文書を印刷するようにした。
【０００８】
また、前記システムに加え、受信文書を印刷する際に、読み取り時とは逆のガンマ設定に従い印刷させるかどうか選択する手段を設け、
受信した文書が、自機と同種の機種から送信されたものであると判定した場合、上記選択手段に従い、読み取り時のガンマ設定とは逆のガンマ設定、または、機器にあらかじめ設定された通常のガンマ設定で受信文書を印刷するようにした。
【０００９】
さらに、前記システムに加え、
受信文書を印刷する際に反映されるガンマカーブを、ユーザに設定可能にする手段と、
受信文書を印刷する際に、上記設定されたガンマ設定か、機器にあらかじめ設定された通常のガンマ設定か、読み取り時とは逆のガンマ設定のいずれを反映させるか設定する手段を設け、
受信した文書が、自機と同種の機種から送信されたものであると判定した場合、上記選択手段に従い、ユーザが設定した受信時に反映されるガンマ設定、機器にあらかじめ設定された通常のガンマ設定、読み取り時のガンマ設定とは逆のガンマ設定、のいずれかを反映し、受信文書を印刷するようにした。
【発明の効果】
【００１０】
印刷時に適切なガンマ値を用いて印刷することにより、読み込んだ元原稿と印刷物の色味が異なって見えることがなくなる。
【発明を実施するための最良の形態】
【００１１】
次に、本発明の詳細を実施例の記述に従って説明する。
【実施例１】
【００１２】
以下、図面を参照して詳細に説明する。
【００１３】
図１は、本発明のデータ通信システムを適用した複合機器のブロック図を示したものである。
【００１４】
この複合機器は、画像形成部101、制御部102、フィニッシャー103、スキャナ部104、操作部105、複数の受信インターフェース106、複数の送信インターフェース107から構成されており、それぞれ専用インターフェースで制御部102に接続されている。また、制御部102は、中央処理装置（ＣＰＵ）108と、記憶装置（メモリ）109とから、その主要部が構成されている。
【００１５】
スキャナ部104に原稿をセットもしくは、操作部105から、既に記憶装置109に保存されている文書を指定し、操作部105から送信宛先を選択し、送信を指示する。送信にあたり、必要とする画像変換を行う。
【００１６】
図２は、本実施例が適用される、システムを表した図である。
【００１７】
この図において、201は本実施例が適用される複合機器、202はサーバ、203は送信宛先となる対抗機器であり、それぞれがネットワークに接続されている。
【００１８】
図３は、本実施例における、読み込んだ文書を送信する処理を表した流れ図である。
【００１９】
まず、操作部105から、新規宛先として直接もしくは、アドレス帳から、既にシステムに登録されている送信宛先を選択し(S301)、読み込み解像度、原稿サイズ、カラー/白黒設定など、原稿読み込み方法を設定し(S302)、機器に設定されているガンマ値を参照し(S303)、スキャナ部104にセットされた原稿を、S302で設定された読み取り方法に従い読み取り、電子化して記憶装置109に蓄積する(S304)。
【００２０】
続いて、中央処理装置108で、スキャナ部104にセットされたすべての原稿を読み取ったか否か判定する(S305)。S305での判定がNoならば処理は再びS303に戻り、Yesならば、送信インターフェイス107を介し、S301で選択した送信宛先に送信するため、SMTPの手順を用い、メールサーバとのコネクションを確立し(S306)、送信宛先、送信元情報、ファイル名等のヘッダ情報を送信する(S307)。
【００２１】
続いて、中央処理装置108で、S303で読み込み、記憶措置109に蓄積された画像を、送信に適した形式に変換し(S308)、S308で得られた変換結果画像を、S306で確立したコネクションを通じ、メールサーバに送信する(S309)。
【００２２】
S311の処理後、中央処理装置108で読み取られた全ページの送信が終了したか否か判定し(S310)、S310での判定がYesならば、S306で確立したコネクションを切断し(S311)、記憶装置109の所定のエリアに送信結果ログを書き込み(S312)、処理は終了する。
【００２３】
S310の判定がNoならば、処理はS308に戻る。
【００２４】
図４は、本実施例における、受信印刷処理を表した流れ図である。
【００２５】
まず、受信インターフェース106を介して、メールサーバとの通信路を確立し(S401)、S401で確立した通信路を用いサーバからデータを受信し(S402)、記憶装置109に、前記受信データを蓄積する(S403)。
【００２６】
続いて、中央処理装置108で、受信が完了したか否かを判定し(S404)、S404の判定がNoならば処理はS402に戻り、Yesならば、S401で確立した、サーバとの通信路を切断する(S405)。
【００２７】
さらに、中央処理装置108で、S402で受信した文書のヘッダを参照し、文書が同系機から送信されたものか否か判定する(S406)。
【００２８】
S406の判定がYesならば、記憶装置109に保存されている、送信時のガンマ値を参照し(S407)、それを打ち消すようなガンマ値を、印刷時のガンマ値として設定(S408)する。
【００２９】
S406での判定がNoならば、記憶装置109に保存されている、印刷時、通常使用されるガンマ値を印刷時のガンマ値として設定し(S410)、指定された文書を印刷(S409)、処理は終了する。
【実施例２】
【００３０】
受信文書印刷時、スキャン時と逆のガンマをかけるかどうか、ユーザに選択させることが出来れば、さらに利便性が高まる。
【００３１】
図５は、第二の実施例における、受信印刷処理を表した流れ図である。
【００３２】
まず、受信インターフェース106を介して、メールサーバとの通信路を確立し(S501)、S501で確立した通信路を用いサーバからデータを受信し(S502)、記憶装置109に、前記受信データを蓄積する(S503)。
【００３３】
続いて、中央処理装置108で、受信が完了したか否かを判定し(S504)、S504の判定がNoならば処理はS502に戻り、Yesならば、S501で確立した、サーバとの通信路を切断する(S505)。
【００３４】
さらに、中央処理装置108で、S402で受信した文書のヘッダを参照し、文書が同系機から送信されたものか否か判定する(S506)。
【００３５】
S406の判定がYesならば、中央処理装置108で、受信印刷時に、送信時のガンマを打ち消して印刷する設定がなされているか否か判定し(S507)、S507の判定がYesならば、記憶装置109に保存されている、送信時のガンマ値を参照し(S508)、それを打ち消すようなガンマ値を、印刷時のガンマ値として設定(S509)する。
【００３６】
S506での判定または、S507での判定がNoならば、記憶装置109に保存されている、印刷時、通常使用されるガンマ値を印刷時のガンマ値として設定し(S510)、指定された文書を印刷(S509)、処理は終了する。
【図面の簡単な説明】
【００３７】
【図１】本発明が適用される複合機器のブロック図を示したものである。
【図２】本実施例が適用される、システムを表した図である。
【図３】本実施例における、読み込んだ文書を送信する処理を表した流れ図である。
【図４】本実施例における、受信印刷処理を表した流れ図である。
【図５】第二の実施例における、受信印刷処理を表した流れ図である。
【図６】第一の実施例における、機器に保存されている設定の例である。
【図７】第二の実施例における、機器に保存されている送信宛先の一例である。
【符号の説明】
【００３８】
１０１  画像形成部
１０２  制御部
１０３  フィニッシャー
１０４  スキャナ部
１０５  操作部
１０６  受信インターフェース
１０７  送信インターフェース
１０８  中央処理装置
１０９  記憶装置
【図１】
2009303152.tif 000003
【図２】
2009303152.tif 000004
【図３】
2009303152.tif 000005
【図４】
2009303152.tif 000006
【図５】
2009303152.tif 000007
【図６】
2009303152.tif 000008
【図７】
2009303152.tif 000009